(57)【要約】【課題】  従来の給水器は、水受け容器に給水芯を挿入し、給水するもの、繊維撚糸等の主導材の他端に枝状に分岐するごとに半分の大きさとなるように複数段に分岐させ給水するもの、様々なものはあったが、給水対象とする給水は適正水量を半永久に枯渇することなく配給水できるものはなかった。【解決手段】  給水対象とする給水は適正水量を調整可能にする自動給水器であって、前記自動給水器は貯水槽と分配器と流量調整器とチューブよりなり、前記貯水槽は３槽にし、一槽と二槽の仕切壁にフロート調整装置を設け、一定水量化した三槽の水量はチューブを通じ分配器で複数に配分され接続された流量調整器の水量調整機能を適宜調整することにより、給水対象とする給水は適正水量を調整可能にした。【選択図】  図４
2011083233.tif 000002
【特許請求の範囲】
【請求項１】
自動給水器は、貯水槽と分配器と流量調整器(a、ノズル又はb、濯注器とパイプで構成され、前記貯水槽は三槽に分壁、槽全体を縦割り半分に壁を設け一方の槽を３槽とし他方の半分の槽内上部に仕切壁を設け前記槽内の上内部を１槽とし、前記仕切壁下の内部を２槽とした三槽からなり、前記１槽の上外壁に給水口を備え常時開放された水道蛇口と接続され、前記１槽と前記２槽の仕切壁に給水弁口とフロート式貯水装置を設け槽内全体を一定水量化し、前記２槽壁と前記３槽壁に相対する前記３槽壁の下部に流通口を備え、前記３槽外壁下部に一次配水口と上壁に空気抜孔を設け、前記３槽の前記一次配水口と前記パイプで接続された前記分配器には前記パイプを介して複数の前記流量調整器を設けたことにより給水対象とする適正水量を調整可能にすることを特徴とする自動調整器。
【請求項２】
請求項１に記載の流量調整器（a、ノズル）は、前記a、ノズル全長の中心底部を窮孔し流水孔が設けられている給水部材と配水部材の２つの部材からなり、前記給水部材の一方端にパイプ接続部と受給水孔部、他方端に凸部に凸螺旋ネジと先端内側にＵ形のテーパーを設け、前記配水部材の一方端の内側凹部に前記凸螺旋ネジに接続係合する凹螺旋ネジとＵ形テーパーを設け、前記給水部材と前記配水部材を接続係合する奥間の夫々の前記Ｕ形テーパーとの係合空間に浮力を有する中空のフロートボールを挿入し設け、前記給水部材と前記配水部材の前記流量調整器（a、ノズル）は、係合したネジを強弱の締め付け具合によって受給水口より配水口への通流水の増減と止水を調整可能にしたことを特徴とする流量調整器。
【請求項３】
請求項１〜２に記載の自動給水器において、流量調整器（b、濯注器）は、本体全長下部にパイプ通孔を設けパイプを貫通嵌合し、前記本体上部より下部の前記パイプ貫通嵌合位置まで内部側溝を設け、前記内部側溝の上部より下方へ内面両側の中心に対角線の傾斜に沿って凹形傾斜溝を設け、前記凹形傾斜溝に係合する駒の凸形駒軸を嵌合させ駒の移動を駒の外輪で行ない前記パイプを押圧されるように設け、押圧の強弱の位置に設定することで通流水の増減と止水の調整を可能にしたことを特徴とする流量調整器。
【発明の詳細な説明】
【技術分野】
【０００１】
本発明は、給水器に関し、より詳しくは、貯水槽と分配器と濯注器又はノズルは、パイプで接続されてなり、前記濯注器又は前記ノズルは、給水対象とする給水は適正水量に調整可能としたことで半永久に枯渇することなく、給水を可能にした自動給水器に関する。
【背景技術】
【０００２】
ペットボトルの給水口の近くに空気口を設け、同径のペットボトルの半分で水受けを作り上の容器を挿入し、給水すると常に一定の所で水量は安定するが水受け容器に給水芯を挿入して水かけをするものはあった。（特許文献１参照）
【０００３】
繊維撚糸等からなる主導材の他端に枝状に分岐するごとに半分の大きさとなるように複数段に分岐させ給水するものはあった。（特許文献２参照）
【０００４】
水道口に連結した送水管の途中に電磁弁を設けるとともに該電磁弁の開閉を制御するタイマーを取り付け、且つ前記送水管の先端部に平面形状が円形、楕円形、瓢箪形等の各形状をした環状管を複数連結し、該環状管に所定間隔をおいて多数個の分岐口を設け、該分岐口のそれぞれに可撓性の分岐チューブを接続してできているものはあった。（特許文献３参照）
【先行技術文献】
【特許文献】
【０００５】
【特許文献１】特開平１０−１９１８１５公報
【特許文献２】実開平６−４６４５０公報
【特許文献３】実開平２−２９２６０公報
【発明の概要】
【発明が解決しようとする課題】
【０００６】
上記の特許文献１に記載のペットボトルを活用した植木鉢への単体の水かけ装置で給水すると常に一定の所で水量は安定するが水受け容器に給水芯を挿入して水掛をするものの考案であり、給水対象とする給水は涸渇することなく適性水量を調整可能にするものではない。
【０００７】
上記の特許文献２に記載の植物栽培用給水器具及び給水具は、繊維撚糸からなる主導材の他端に枝状に分岐するごとに半分の大きさとなるよう複数段に導芯材を分岐させ給水するものの考案であり、給水対象とする給水は涸渇することなく適正水量を調整可能にするものではない。
【０００８】
上記の特許文献３に記載の半自動散水器は、送水管途中に開閉を制御するタイマーを設け、且つ前記送水管の２以上を連結し、所定の間隔を持って多数口の分岐口を設け、各分岐口のそれぞれに撓みのある分岐チューブが接続されていて給水される考案であり、給水対象とする給水は涸渇することなく適正水量を調整可能にするものではない。
【０００９】
本発明は、上述のような水受け容器に給水芯を挿入し給水するもの、繊維撚糸等の主導材の他端に枝状に分岐するごとに半分の大きさとなるように複数段に分岐させ給水するもの、又送水管途中に開閉を制御するタイマーを設け、前記送水管の先端部に各種形状した環状管を多数連結し、多数の分岐口を設け給水するもの等々の従来の問題点や欠点を改善して、給水対象とする給水は適正水量を調整可能にしたことにより、植木鉢の花木や盆栽の小木を枯らすことで、多くの草花小木の愛好家達が困っていた給水に関し、給水は一日も欠かすことが出来ず、又、一泊の旅行にさえ行くことが出来なかったのであるが、本発明により、給水に問題がなくなり、給水は、半永久に涸渇することなく出来て、かなり長期間の旅行が出来るようになり、幸せを手にすることが出来得て目的を達成できるものである。
【課題を解決するための手段】
【００１０】
本発明は、上記の目的を達成するために、自動給水器は、貯水槽と分配器と流量調整器(a、ノズル、b、濯注器とパイプで構成され、前記貯水槽は三槽に分壁、槽全体を縦割り半分に壁を設け一方の槽を３槽とし,他方の半分の槽内上部に仕切壁を設け前記槽内の上内部を１槽とし、前記仕切壁下の内部を２槽とした三槽からなり、前記１槽の上外壁に給水口を備え常時開放された水道蛇口と接続され、前記１槽と前記２槽の仕切壁に給水弁口とフロート式貯水装置を設け槽内全体を一定水量化し、前記２槽壁と前記３槽壁に相対する前記３槽壁の下部に流通口を備え、前記３槽外壁下部に一次配水口と上壁に空気抜孔を設け、前記３槽の前記一次配水口と前記パイプで接続された前記分配器には前記パイプを介して複数の前記流量調整器を設けたことにより給水対象とする適正水量を調整可能にすることを特徴とする自動調整器。
【００１１】
請求項１に記載の流量調整器(a,ノズルは、前記ノズル全長の中心底部を窮孔し流水孔が設けられている給水部材と配水部材の２つの部材からなり、前記給水部材の一方端にパイプ接続部と受給水孔部、他方端の凸部に凸螺旋ネジと先端内側にＵ形のテーパーを設け、前記配水部材の一方端の内側凹部に前記凸螺旋ネジに接続係合する凹螺旋ネジとＵ形テーパーを設け、前記給水部材と前記配水部材を接続係合する奥間の夫々の前記Ｕ形テーパーとの係合空間に浮力を有する中空のフロートボールを挿入し設け、前記給水部材と前記配水部材の前記流量調整器（a、ノズル）は、係合したネジを強弱の締め付け具合によって受給水口より配水口への通流水の増減と止水を調整可能にしたことを特徴とする流量調整器。
【００１２】
請求項１〜２に記載の自動給水器において、流量調整器(b、濯注器は、本体全長下部にパイプ通孔を設けパイプを貫通嵌合し、前記本体上部より下部の前記パイプ貫通嵌合位置まで内部側溝を設け、前記内部側溝の上部より下方へ内面両側の中心に対角線の傾斜に沿って凹形傾斜溝を設け、前記凹形傾斜溝に係合する駒の凸形駒軸を嵌合させ駒の移動を駒の外輪で行ない前記パイプを押圧されるよう設け、押圧の強弱の位置に設定することで通流水の増減と止水の調整を可能にしたことを特徴とする流量調整器。
【発明の効果】
【００１３】
本発明の請求項１の自動給水器は、貯水槽と分配器と流量調整器（a、ノズル又は、b、濯注器）と各々に接続されたパイプから構成され、水道蛇口に連結された前記貯水槽には常時給水される水は受給水を制限する給水弁口とフロート式貯水装置で槽全体に一定水量を保ち、パイプで接続された前記分配器により１又は２以上に配分された水は、前記パイプを経て複数の前記流量調整器（a、ノズル）に入り、２つの部材内部にあるフロートボールを強弱の締付けにより、水量通流水を強弱に調整でき止水も可能、又は、前記パイプを経て複数の前記流量調整器（b、濯注器）に入り押圧操作により、水量通流水を強弱に調整でき止水も可で、給水対象とする給水は適量水量に調整可能になり、半永久に配給水でき目的を達成できる。
【図面の簡単な説明】
【００１４】
【図１】本発明の実施例となる貯水槽の側面の断面（図１−a）とフロート式貯水装置の拡大図（図１−b）
【図２】本発明の実施例となる分配器の側面図とチューブと流量調整器（a、ノズルとb、濯注器）の斜視図
【図３】本発明の実施例となる流量調整器（b、濯注器）の側面の断面図（図３−イ）と平面図（図３−ロ）
【図４】本発明の実施例となる流量調整器（b、濯注器）のA点切断の断面図
【図５】本発明に実施例となる流量調整器（a、ノズル）の断面図
【発明を実施するための形態】
【００１５】
以下、本発明の実施の形態を実施例となる図１〜図５に基づいて説明する。
【００１６】
図１に於いて（図１-  a）は、本発明の実施例となる貯水槽は、三槽に分壁、槽全体を縦割り半分に壁を設け一方の槽を３槽とし、他方の半分内部を二槽に分槽、半分の槽内上部に仕切壁を設け、前記槽内の上内部を１槽とし、前記仕切壁下の内部を２槽とした三槽からなり、前記１槽の上外壁に給水口を備え常時開放された水道蛇口接続され、前記１槽と前記２槽の仕切壁に給水弁口とフロート式貯水装置を設け、前記２槽壁と前記３槽壁に相対する前記３槽壁の下部に流通口を備え、前記３槽外壁下部に一次配水口と上壁に空気抜孔を設け、前記３槽の前記一次配水口と前記パイプを接続すると良い。
前記フロート式貯水装置は、前記給水弁口９を開閉するフロート１１を備え、フロートには上部細線１２と下部細線１３を備え、前記両上下部細線を係合し支持するコ形カバー支持上板１４と支持下板１５設け、前記両支持上下板の先端近くに前記上下部細線１２，１３を係合摺合すべく孔３８を備え、前記フロート１１は安定を保持でき、給水を制限し槽内全体に一定水量を保つよう設けており、更に貯水槽のオーバーフローを制御するように設けられているので良い。且つ繋ぎのチューブ６は給配水口径と同径とすると良い。
（図1-  b）、本発明の実施例となる貯水槽に設けたフロート式貯水装置で、１槽１と２槽２の仕切壁８を挟んで、前記給水弁口９を開閉するフロート上部に付した上部細線１２と下部細線１３を誤差なく係合支持し、摺合稼動させ支える孔３８開きで可撓性の支持上板１４と支持下板１５を設けると良い。
【００１７】
図２は、本発明の実施例となる分配器１７は、貯水槽と接続したパイプ16を介して給水を受ける受給水口１８を一方の上部中心に設け、他方の下部に一定間隔で連続して同径の二次配水口１９を１又は２以上に設けると良く、且つ、繋ぎのパイプ１６は前記受給水口径と前記二次配水口径と同径とすると良い。尚、必要外の前記二次配給水は、流量調整器（b、濯注器）２０を移動調整し押圧し止水すると良い。又、配給水口１９にゴム詮３７をして蓋をしても良い。
【００１８】
図３に於いて（図３ーイ）は、本発明の実施例となる流量調整器（b、濯注器）２０は、本体で下部全長にパイプ通孔２１を設けパイプ１６を貫通嵌合させ、前記本体上部より下部の前記パイプ貫通孔２１まで掘削し僅かに本体を残し内部側溝３６を設け、前記内部側溝３６の両壁内側の面に前記本体上部より対角線に傾斜を持って前記本体下方に直線で凹形傾斜溝２２を設け、前記凹形傾斜溝２２に硬めで摺合対応し移動させる駒２３の凸形駒軸２４を嵌合させた濯注器２０であって、前記駒２３は、円盤の中心に前記凸形駒軸２４を両面に備え前記凹形傾斜溝２２に前記駒２３の前記凸形駒軸２４を前記内部側溝３６の前記凹形傾斜溝２２内を移動させることにより、前記駒２３の外輪２５が前記本体下部の前記パイプ通孔１５に挿入嵌合してある前記パイプ１６を押圧することにより、前記パイプ１６の中を流水している給水対象とする適正水量に制御調整可能にできるので良い。繋ぎのパイプは給配水口径と同径とすると良い。
尚、前記流量調整器（b、濯注器）２０の前記駒２３は、前記外輪２５を手動により稼動するものであって、前記駒２３は通常はdの位置にあり、前記駒２３の前記外輪２５は前記パイプ通孔２１内に在る前記パイプ１６に押圧  ０  （なし）で、前記パイプ内の流水は最大となり、d、c、b、a  と前記駒23を移動させることにより少しずつ加圧され、前記パイプ1６は弱圧〜強圧へと移行され、aの場所が最大の押圧となり、前記パイプ１６内の流水は止水されるように設けられているので給水対象とする給水は必要適正水量に対応するので駒２３を移動させ調整すると良い。
より詳しくは、前記流量調整器（b、濯注器）２０の前記パイプ１６を前記駒２３の前記外輪２５で押し潰し、水量を調整することを可能にし、給水対象とする給水は適正水量を与えることができて良い。
（図３ーロ）、本発明の実施例となる流量調整器（b、濯注器）２０の平面図で長方形の本体で内部側溝３６と凹形傾斜溝２２と駒２３の凸形駒軸２４の位置関係を示している。
【００１９】
図４は、本発明の実施例となる流量調整器（b、濯注器）２０の内部側溝３６内に係合する駒２３の構造を示し、前記内部側溝３６に設けた凹形傾斜溝２２に凸形駒軸２４係合させ、前記駒２３の外輪２５を（図３−イ）のb点の位置に設定した時の断面図でパイプの押圧を示している。
【００２０】
図５は、本発明の実施例となる流量調整器（a、ノズル）２0は、矢じり形で２つの部材の給水部材２７と凹凸螺旋ネジ係合接続される配水部部材２８で構成され、前記ノズルの前記２つの部材を結合した全長の中心を窮孔し流水孔２６を設け、前記給水部材２７の一方端にパイプ接続部３０と受給水孔部３１を備え、他方端に凸部を備えた外側に螺旋凸ネジ３２と凸部の先端内側にＵ形テーパー３３を設け、前記配水部材２８の一方端に凹部を備えた内側に前記螺旋凸ネジ３２に接続係合する螺旋凹ネジ３４とその奥にＵ形テーパー３３を設け、前記給水部材２７と前記配水部材２８を接続係合する奥間の夫々のＵ形テーパー係合空間に浮力を有する中空のフロートボール３５を挿入し設け、前記給水部材２７と前記配水部材２８の前記流量調整器（a、ノズル）２０は、係合したネジの強弱の締付けにより三次配水口の通流水の増減量が調整でき給水対象とする給水は適正水量を調整可能にしたので良い。
【符号の説明】
【００２１】
１  １槽
２  ２槽
３  ３槽
４  空気抜孔
５  一次配水口
６  壁
７  流通口
８  仕切壁
９  給水弁口
１０  給水口
１１  フロート
１２  上部細線
１３  下部細線
１４  支持上板
１５  支持下板
１６  パイプ
１７  分配器
１８  受給水口
１９  二次配水口
２０  流量調整器（a、ノズル又はb、濯注器）
２１  パイプ通孔
２２  凹形傾斜溝
２３  駒
２４  凸形駒軸
２５  外輪
２６  流水孔
２７  給水部材
２８  配水部材
２９  三次配水口
３０  パイプ接続部
３１  受給水孔部
３２  凸螺旋ネジ
３３  Ｕ形テーパー
３４  螺旋凹ネジ
３５  フロートボール
３６  内部側溝
３７  ゴム詮
３８  孔
【図１】
2011083233.tif 000003
【図２】
2011083233.tif 000004
【図３】
2011083233.tif 000005
【図４】
2011083233.tif 000006
【図５】
2011083233.tif 000007
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
自動給水器は、貯水槽と分配器と流量調整器(a、ノズル又はb、灌注器とパイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、前記第１槽と前記第２槽の仕切壁に給水弁口と給水溢出防止と水量増減調整にフロート式貯水装置を備え、前記第２槽と前記第３槽の一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記流量調整器を設けたことにより給水対象とする適正水量を調整可能にすることを特徴とする自動給水器。
【請求項２】
請求項１に記載の流量調整器(a,ノズルは、給水口と流水調整凸螺旋ネジを備える給水部材と前記流水調整凹螺旋ネジと配水口を備える配水部材を係合し設け、前記２つの部材内部間に配水増減や止水弁となるフロートボール包含し構成され、前記ノズルの全長の中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えた前記流量調整器（a、ノズル）は、係合したネジを強弱の締付け強弱具合によって受給水口より配水口への通流水の増減と止水を調整可能にしたことを特徴とする流量調整器。
【請求項３】
請求項１又は２に記載の自動給水器において、流量調整器(b、灌注器は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にしたことを特徴とする流量調整器。
【手続補正２】
【補正対象書類名】明細書
【補正対象項目名】００１０
【補正方法】変更
【補正の内容】
【００１０】
本発明は、上記の目的を達成するために、自動給水器は、貯水槽と分配器と流量調整器(a、ノズル又はb、灌注器とパイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、前記第１槽と前記第２槽の仕切壁に給水弁口と給水溢出防止と水量増減調整にフロート式貯水装置を備え前記第２槽と前記第３槽に一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記流量調整器を設けたことにより給水対象とする適正水量を調整可能にしたので良い。
【手続補正３】
【補正対象書類名】明細書
【補正対象項目名】００１１
【補正方法】変更
【補正の内容】
【００１１】
上記００１０に記載の流量調整器(a,ノズルは、給水口と流水調整凸螺旋ネジを備える給水部材と前記流水調整凹螺旋ネジと配水口を備える配水部材を係合し設け、前記２つの部材内部間に配水増減や止水弁となるフロートボール包含し構成され、前記ノズルの全長中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えた前記流量調整器（a、ノズル）は、係合したネジを強弱の締付け強弱具合によって受給水口より配水口への通流水の増減と止水を調整可能にしたので良い。
【手続補正４】
【補正対象書類名】明細書
【補正対象項目名】００１２
【補正方法】変更
【補正の内容】
【００１２】
上記００１０又は００１１に記載の自動給水器において、流量調整器(b、灌注器は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にしたので良い。
【手続補正５】
【補正対象書類名】明細書
【補正対象項目名】００１３
【補正方法】変更
【補正の内容】
【００１３】
本発明の請求項１の自動給水器は、貯水槽と分配器と流量調整器（a、ノズル又は、b、灌注器）と各々に接続されたパイプから構成され、水道蛇口に連結された前記貯水槽には常時給水される水は受給水を制限する給水弁口とフロート式貯水装置で槽全体に一定水量を保ち、パイプで接続された前記分配器により１又は２以上に配分された水は、前記パイプを経て複数の前記流量調整器（a、ノズル）に入り、２つの部材内部にあるフロートボールを強弱の締付けにより、水量通流水を強弱に調整でき止水も可能、又は、前記パイプを経て複数の前記流量調整器（b、灌注器）に入り押圧操作により、水量通流水を強弱に調整でき止水も可で、給水対象とする給水は適量水量に調整可能になり、半永久に配給水でき目的を達成できる。
【手続補正６】
【補正対象書類名】明細書
【補正対象項目名】００１４
【補正方法】変更
【補正の内容】
【００１４】
【図１】本発明の実施例となる貯水槽の側面の断面（図１−a）とフロート式貯水装置の拡大図（図１−b）
【図２】本発明の実施例となる分配器の側面図とチューブと流量調整器（a、ノズルとb、灌注器）の斜視図
【図３】本発明の実施例となる流量調整器（b、灌注器）の側面の断面図（図３−イ）と平面図（図３−ロ）
【図４】本発明の実施例となる流量調整器（b、灌注器）のA点切断の断面図
【図５】本発明に実施例となる流量調整器（a、ノズル）の断面図
【手続補正７】
【補正対象書類名】明細書
【補正対象項目名】００１７
【補正方法】変更
【補正の内容】
【００１７】
図２、  本発明の実施例となる分配器１７は、貯水槽と接続したパイプ16を介して給
水を受ける受給水口１８を一方の上部中心に設け、他方の下部に一定間隔で連続して同径の二次配水口１９を１又は２以上に設けると良く、且つ、繋ぎのパイプ１６は前記受給水口径と前記二次配水口径と同径とすると良い。尚、必要外の前記二次配給水は、流量調整器（b、灌注器）２０を移動調整し押圧し止水すると良い。又、配給水口１９にゴム詮３７をして蓋をしても良い。
【手続補正８】
【補正対象書類名】明細書
【補正対象項目名】００１８
【補正方法】変更
【補正の内容】
【００１８】
図３、  （図３ーイ）、本発明の実施例となる流量調整器（b、灌注器）２０は、本体
で下部全長にパイプ通孔２１を設けパイプ１６を貫通嵌合させ、前記本体上部より下部の前記パイプ貫通孔２１まで掘削し僅かに本体を残し内部側溝３６を設け、前記内部側溝３６の両壁内側の面に前記本体上部より対角線に傾斜を持って前記本体下方に直線で凹形傾斜溝２２を設け、前記凹形傾斜溝２２に硬めで摺合対応し移動させる駒２３の凸形駒軸２４を嵌合させた濯注器２０であって、前記駒２３は、円盤の中心に前記凸形駒軸２４を両面に備え前記凹形傾斜溝２２に前記駒２３の前記凸形駒軸２４を前記内部側溝３６の前記凹形傾斜溝２２内を移動させることにより、前記駒２３の外輪２５が前記本体下部の前記パイプ通孔１５に挿入嵌合してある前記パイプ１６を押圧することにより、前記パイプ１６の中を流水している給水対象とする適正水量に制御調整可能にできるので良い。繋ぎのパイプは給配水口径と同径とすると良い。
尚、前記流量調整器（b、灌注器）２０の前記駒２３は、前記外輪２５を手動により稼動するものであって、前記駒２３は通常はdの位置にあり、前記駒２３の前記外輪２５は前記パイプ通孔２１内に在る前記パイプ１６に押圧  ０  （なし）で、前記パイプ内の流水は最大となり、d、c、b、a  と前記駒23を移動させることにより少しずつ加圧され、前記パイプ1６は弱圧〜強圧へと移行され、aの場所が最大の押圧となり、前記パイプ１６内の流水は止水されるように設けられているので給水対象とする給水は必要適正水量に対応するので駒２３を移動させ調整すると良い。
より詳しくは、前記流量調整器（b、灌注器）２０の前記パイプ１６を前記駒２３の前記外輪２５で押し潰し、水量を調整することを可能にし、給水対象とする給水は適正水量を与えることができて良い。
（図３ーロ）、本発明の実施例となる流量調整器（b、灌注器）２０の平面図で長方形の本体で内部側溝３６と凹形傾斜溝２２と駒２３の凸形駒軸２４の位置関係を示している。
【手続補正９】
【補正対象書類名】明細書
【補正対象項目名】００１９
【補正方法】変更
【補正の内容】
【００１９】
図４、  本発明の実施例となる流量調整器（b、灌注器）２０の内部側溝３６内に係合
する駒２３の構造を示し、前記内部側溝３６に設けた凹形傾斜溝２２に凸形駒軸２４係合させ、前記駒２３の外輪２５を（図３−イ）のb点の位置に設定した時の断面図でパイプの押圧を示している。
【手続補正１０】
【補正対象書類名】明細書
【補正対象項目名】００２１
【補正方法】変更
【補正の内容】
【００２１】
１  １槽
２  ２槽
３  ３槽
４  空気抜孔
５  一次配水口
６  壁
７  流通口
８  仕切壁
９  給水弁口
１０  給水口
１１  フロート
１２  上部細線
１３  下部細線
１４  支持上板
１５  支持下板
１６  パイプ
１７  分配器
１８  受給水口
１９  二次配水口
２０  流量調整器（a、ノズル又はb、灌注器）
２１  パイプ通孔
２２  凹形傾斜溝
２３  駒
２４  凸形駒軸
２５  外輪
２６  流水孔
２７  給水部材
２８  配水部材
２９  三次配水口
３０  パイプ接続部
３１  受給水孔部
３２  凸螺旋ネジ
３３  Ｕ形テーパー
３４  螺旋凹ネジ
３５  フロートボール
３６  内部側溝
３７  ゴム詮
３８  孔
【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
自動給水器は、貯水槽と分配器と配水用流量調整器(a、ノズル又はb、灌注器)とパイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、「前記第１槽と前記第２槽の仕切壁に給水弁口を設け、止水浮弁となる上部先端より中部に傾斜を備え、続いて中部より下方へ傾斜を取り頭小尻大浮き形状のフロートを設け、前記フロート先端部を前記給水弁口に差込設け、前記フロートが浮揚移動しないように上部細線と下部細線を備え、支持上下板で保持するよう設け、給水溢出防止と水量増減調整にフロート式貯水装置を備え、」前記第２槽と前記第３槽の一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記配水用流量調整器を設けたことにより給水対象とする適正水量を調整可能にすることを特徴とする自動給水器。
【請求項２】
請求項１に記載の前記配水用流量調整器(a,ノズル)は、給水口と流水調整凸螺旋ネジを備える給水部材と前記流水調整凹螺旋ネジと配水口を備える配水部材を係合し設け、前記２つの部材内部間に配水増減の止水弁となるフロートボールを包含し構成され、前記ノズルの全長の中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えた前記配水用流量調整器（a、ノズル）は、係合したネジを強弱の締付け強弱具合によって受給水口より配水口への通流水の増減と止水を調整可能にしたことを特徴とする自動給水器。
【請求項３】
請求項１又は２に記載の自動給水器において、前記配水用流量調整器(b、灌注器)は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にしたことを特徴とする自動給水器。
【手続補正２】
【補正対象書類名】明細書
【補正対象項目名】００１０
【補正方法】変更
【補正の内容】
【００１０】
本発明は、上記目的を達成するために、自動給水器は、貯水槽と分配器と配水用流量調整器(a、ノズル又はb、灌注器)とパイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、前記第１槽と前記第２槽の仕切壁に給水弁口を設け、上部先端より下方に傾斜を備えたフロートを設け、前記フロート先端部を前記給水弁口に差込設け、前記フロートが浮揚移動しないように上部細線と下部細線を備え支持上下板で保持するよう設け、給水溢出防止と水量増減調整にフロート式貯水装置を備え、前記第２槽と前記第３槽の一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記配水用流量調整器を設けたことにより給水対象とする適正水量を調整可能にした。
【手続補正３】
【補正対象書類名】明細書
【補正対象項目名】００１１
【補正方法】変更
【補正の内容】
【００１１】
上記００１０に記載の前記配水用流量調整器(a,ノズル)は、給水口と流水調整凸螺旋ネジを備える給水部材と前記流水調整凹螺旋ネジと配水口を備える配水部材を係合し設け、前記２つの部材内部間に配水増減の止水弁となるフロートボールを包含し構成され、前記ノズルの全長の中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えた前記配水用流量調整器（a、ノズル）は、係合したネジを強弱の締付け強弱具合によって受給水口より配水口への通流水の増減と止水を調整可能にした。
【手続補正４】
【補正対象書類名】明細書
【補正対象項目名】００１２
【補正方法】変更
【補正の内容】
【００１２】
上記００１０又は００１１に記載の自動給水器において、前記配水用流量調整器(b、灌注器)は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にした。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
自動給水器は、貯水槽と、分配器と、ノズル又は灌注器からなる配水用流量調整器と、パイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、前記第１槽と前記第２槽の仕切壁に給水弁口を設け、止水浮弁となる上部先端より中部に傾斜を備え、続いて中部より下方へ傾斜を取り頭小尻大浮き形状のフロートを設け、前記フロート先端部を前記給水弁口に差込設け、前記フロートが浮揚移動しないように上部細線と下部細線を備え、支持上下板で保持するよう設け、給水溢出防止と水量増減調整にフロート式貯水装置を備え、前記第２槽と前記第３槽の一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記配水用流量調整器を設けたことにより給水対象とする適正水量を調整可能にすることを特徴とする自動給水器。
【請求項２】
請求項１に記載の自動給水器に於いて、配水用流量調整器をノズルとし、前記ノズルは、給水口と流水調整凸螺旋ネジを備える給水部材と前記流水調整凹螺旋ネジと配水口を備える配水部材を係合し設け、前記２つの部材内部間に配水増減の止水弁となるフロートボールを包含し構成され、前記ノズルの全長の中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えたノズルは、係合したネジを強弱の締付け強弱具合によって受給水口より配水口への通流水の増減と止水を調整可能にしたことを特徴とする自動給水器。
【請求項３】
請求項１に記載の自動給水器において、配水用流量調整器を灌注器とし、前記灌注器は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にしたことを特徴とする自動給水器。
【手続補正２】
【補正対象書類名】明細書
【補正対象項目名】００１０
【補正方法】変更
【補正の内容】
【００１０】
本発明の自動給水器は、貯水槽と、分配器と、ノズル又は灌注器からなる配水用流量調整器と、パイプで構成され、前記貯水槽は三槽に分壁、槽全体を縦割り半分に壁を設け一方の槽を第３槽とし、他方の半分の槽内上部に仕切壁を設け前記槽内の上内部を第１槽とし、前記仕切壁下の内部を第２槽とした三槽からなり、前記第１槽の上外壁に給水口を備え常時開放された水道蛇口と接続され、前記第１槽と前記第２槽の仕切壁に給水弁口を設け、止水浮弁となる上部先端より中部に傾斜を備え、続いて中部より下方へ傾斜を取り頭小尻大浮き形状のフロートを設け、前記フロート先端部を前記給水弁口に差込設け、前記フロートが浮揚移動しないように上部細線と下部細線を備え、支持上下板で保持するよう設け、給水溢出防止と水量増減調整にフロート式貯水装置を備え、前記第２槽と前記第３槽の一定水量を保持するよう設け、前記第２槽と前記第３槽間壁の下部に流通口を備え、前記第３槽外壁下部に一次配水口と上壁に空気抜孔を設け、前記第３槽の前記一次配水口と前記パイプで接続された前記分配器には前記パイプを介して複数の前記配水用流量調整器を設けたことにより給水対象とする適正水量を調整可能にした。
【手続補正３】
【補正対象書類名】明細書
【補正対象項目名】００１１
【補正方法】変更
【補正の内容】
【００１１】
請求項１に記載の自動給水器に於いて、配水用流量調整器をノズルとし、前記ノズルは、給水口と流水調整凸螺旋ネジを備える給水部材と前記流水調整凹螺旋ネジと配水口を備える配水部材を係合し設け、前記２つの部材内部間に配水増減の止水弁となるフロートボールを包含し構成され、前記ノズルの全長の中心を穿孔し流水孔を設け、前記給水部材の一方端にパイプ接続部と受給水孔部を設け、前記給水部材の他方端に凸部を設け、該に前記凸部の外周に凸螺旋ネジと前記凸部の先端内側にＵ形のテーパーを設け、前記配水部材の一方端に配水口を設け、前記配水部材の他方端に流水孔の内側凹部に前記凸螺旋ネジに接続係合する凹螺旋ネジと奥内側にＵ形テーパーを設け、前記給水部材の凸螺旋ネジと前記配水部材の凹螺旋ネジを接続係合し設け、前記凸螺旋ネジ先部と前記凹螺旋ネジ奥部の前記Ｕ形テーパーが向かい合った相対位置である係合空間に浮力を有する中空のフロートボールを挿入し設け、前記給水部材と前記配水部材内に包含するフロートボールを備えたノズルは、係合したネジを強弱の締付け強弱具合によって受給水口より配水口への通流水の増減と止水を調整可能にした。
【手続補正４】
【補正対象書類名】明細書
【補正対象項目名】００１２
【補正方法】変更
【補正の内容】
【００１２】
請求項１に記載の自動給水器において、配水用流量調整器を灌注器とし、前記灌注器は、本体全長下部にパイプ通孔を設けパイプを貫通嵌合し、前記本体上部より下部の前記パイプ貫通嵌合位置まで内部側溝を設け、前記内部側溝内面の対角線の上部より斜め下方まで前記対角線傾斜に沿って前記内部側溝内面の両側内面に凹形傾斜溝を設け、該に円形でなる駒の円形の両側面の中心に凸形駒軸を備えた前記駒の前記凸形駒軸を前記凹形傾斜溝に係合させ設け、前記駒の移動を回転自在に設け手動で前記駒の外周縁を押し回転させることで前記パイプを強又は弱の押圧可能に設け、前記駒を強弱の位置に設定することで前記パイプが押圧され通流水の増減と止水の調整を可能にした。